【手続補正書】
【提出日】平成16年1月20日(2004.1.20)
【手続補正１】
【補正対象書類名】明細書
【補正対象項目名】特許請求の範囲
【補正方法】変更
【補正の内容】
【特許請求の範囲】
【請求項１】
スキャン装置によるプレビュー画像の読み取りにより取得される表示画像の編集を行い、さらに該編集画像に基づく本スキャンを実行するスキャン装置における画像表示方法において、
ユーザインタフェースにおけるプレビュー原稿読み取り用パラメータの設定およびプレスキャンの指示ステップと、
前記設定されたプレビュー原稿読み取り用パラメータに基づいてプレスキャンパラメータを決定するプレスキャンパラメータ決定ステップと、
前記プレスキャンパラメータ決定ステップにおいて決定されたプレスキャンパラメータに基づいてプレスキャンを実行するプレスキャンステップと、
前記プレスキャンステップにおいて読み取られたプレビュー原稿画像をディスプレイに表示するプレビュー画像表示ステップと、
前記表示ステップにおいて表示されたプレビュー画像に対する編集処理後、本スキャンパラメータの設定を行なう本スキャンパラメータ設定ステップと、
前記本スキャンパラメータ設定ステップにおいて設定された本スキャンパラメータに基づいて本スキャンを実行する本スキャンステップとを有することを特徴とするプレビュー画像表示方法。
【請求項２】
前記プレスキャンパラメータ決定ステップは、前記プレビュー原稿読み取り用パラメータに含まれる原稿サイズ情報または自動検知された原稿サイズ情報に基づいて、原稿サイズ領域のみにおいて画像データの読み取りを実行するようにプレスキャンパラメータを決定することを特徴とする請求項１に記載のプレビュー画像表示方法。
【請求項３】
前記プレスキャンパラメータ決定ステップは、原稿サイズ情報と、前記ディスプレイの読み取り原稿表示領域情報とに基づいてプレスキャンパラメータを決定し、前記原稿サイズ領域の画像データの読み取り、および前記ディスプレイの読み取り原稿表示領域に略一致した大きさでの読み取り原稿の表示を実行するようにプレスキャンパラメータを決定することを特徴とする請求項２に記載のプレビュー画像表示方法。
【請求項４】
前記ディスプレイの読み取り原稿表示領域情報は、該表示領域のピクセル（画素）数情報であり、前記プレスキャンパラメータ決定ステップは、前記表示領域のピクセル（画素）数と、原稿サイズおよび設定解像度から求められるピクセル数とが等しくなるように読み取り画像の拡大または縮小処理を実行するための処理パラメータを含むプレスキャンパラメータを決定することを特徴とする請求項３に記載のプレビュー画像表示方法。
【請求項５】
前記表示ステップにおけるプレビュー画像に対する編集処理は表示画像中の特定領域を指示するクリッピング処理であり、前記本スキャンステップは、前記クリッピング処理により指示された領域について、前記本スキャンパラメータ設定ステップにおいて設定された本スキャンパラメータに基づいて画像データの読み取りを実行することを特徴とする請求項１乃至４いずれかに記載のプレビュー画像表示方法。
【請求項６】
光学的に原稿画像を読み取るスキャナ読み取り手段と、
原稿読み取りパラメータを設定パラメータとして設定可能なユーザインタフェース手段と、
前記ユーザインタフェース手段における設定パラメータを記憶するパラメータメモリと、
前記スキャナ読み取り手段における原稿読み取り制御を前記設定パラメータに基づいて生成されるスキャンパラメータに従って実行するスキャナコントローラ手段と、
前記スキャナ読み取り手段によって読み取られた原稿画像を表示するディスプレイ手段とを有し、
前記パラメータメモリは、前記ユーザインタフェース手段における設定パラメータと、前記ディスプレイ手段における読み取り原稿表示領域情報を保持し、
前記スキャナコントローラ手段は、前記パラメータメモリに記憶された前記ユーザインタフェース手段における設定パラメータと、前記ディスプレイ手段における読み取り原稿表示領域情報とに基づいて、前記スキャナ読み取り手段における原稿載置部分の画像データ読み取り、および前記ディスプレイ手段における読み取り原稿表示領域サイズに略一致する大きさでの読み取り原稿の表示を実行するためのスキャンパラメータを生成して、該生成スキャンパラメータに従って、前記スキャナ読み取り手段における原稿読み取り制御を実行する構成を有することを特徴とするスキャン装置。
【請求項７】
前記ディスプレイ手段における読み取り原稿表示領域情報は、表示領域のピクセル（画素）数情報であり、前記スキャナコントローラ手段は、前記表示領域のピクセル（画素）数と、原稿サイズおよび設定解像度から求められるピクセル数とが等しくなるように読み取り画像の拡大または縮小処理を実行するための処理パラメータを含むプレスキャンパラメータを決定する構成を有することを特徴とする請求項６に記載のスキャン装置。
【請求項８】
スキャンによるプレビュー画像の読み取りにより取得される表示画像の編集を行い、該編集画像に基づく本スキャンを実行するスキャン装置であり、
プレビュー原稿読み取り用パラメータの設定およびプレスキャンの指示を実行するユーザインタフェースと、
前記ユーザインタフェースを介して設定されたプレビュー原稿読み取り用パラメータに基づいてプレスキャンパラメータを決定し、
決定したプレスキャンパラメータに基づいてプレスキャンを実行するスキャナコントローラ手段と、
前記プレスキャンスにおいて読み取られたプレビュー画像を表示する表示部とを有し、
前記スキャナコントローラ手段は、
前記プレビュー画像に対する編集処理に基づいて本スキャンパラメータを決定し、
決定した本スキャンパラメータに基づいて本スキャンを実行する構成であることを特徴とするスキャン装置。
【手続補正２】
【補正対象書類名】明細書
【補正対象項目名】００１８
【補正方法】変更
【補正の内容】
【００１８】
さらに、本発明のプレビュー画像表示方法において、プレスキャンパラメータ決定ステップは、原稿サイズ情報と、ディスプレイの読み取り原稿表示領域情報とに基づいてプレスキャンパラメータを決定し、原稿サイズ領域の画像データの読み取り、およびディスプレイの読み取り原稿表示領域に略一致した大きさでの読み取り原稿の表示を実行するようにプレスキャンパラメータを決定することを特徴とする。


【手続補正３】
【補正対象書類名】明細書
【補正対象項目名】００２１
【補正方法】変更
【補正の内容】
【００２１】
さらに、本発明のスキャン装置は、光学的に原稿画像を読み取るスキャナ読み取り手段と、原稿読み取りパラメータを設定パラメータとして設定可能なユーザインタフェース手段と、ユーザインタフェース手段における設定パラメータを記憶するパラメータメモリと、スキャナ読み取り手段における原稿読み取り制御を設定パラメータに基づいて生成されるスキャンパラメータに従って実行するスキャナコントローラ手段と、スキャナ読み取り手段によって読み取られた原稿画像を表示するディスプレイ手段とを有し、パラメータメモリは、ユーザインタフェース手段における設定パラメータと、ディスプレイ手段における読み取り原稿表示領域情報を保持し、スキャナコントローラ手段は、パラメータメモリに記憶されたユーザインタフェース手段における設定パラメータと、ディスプレイ手段における読み取り原稿表示領域情報とに基づいて、スキャナ読み取り手段における原稿載置部分の画像データ読み取り、およびディスプレイ手段における読み取り原稿表示領域サイズに略一致する大きさでの読み取り原稿の表示を実行するためのスキャンパラメータを生成して、該生成スキャンパラメータに従って、スキャナ読み取り手段における原稿読み取り制御を実行する構成を有することを特徴とする。


【手続補正４】
【補正対象書類名】明細書
【補正対象項目名】００２２
【補正方法】変更
【補正の内容】
【００２２】
さらに、本発明のスキャン装置において、ディスプレイ手段における読み取り原稿表示領域情報は、表示領域のピクセル（画素）数情報であり、スキャナコントローラ手段は、前記表示領域のピクセル（画素）数と、原稿サイズおよび設定解像度から求められるピクセル数とが等しくなるように読み取り画像の拡大または縮小処理を実行するための処理パラメータを含むプレスキャンパラメータを決定する構成を有することを特徴とする。
さらに、本発明のスキャン装置において、スキャンによるプレビュー画像の読み取りにより取得される表示画像の編集を行い、該編集画像に基づく本スキャンを実行するスキャン装置であり、プレビュー原稿読み取り用パラメータの設定およびプレスキャンの指示を実行するユーザインタフェースと、ユーザインタフェースを介して設定されたプレビュー原稿読み取り用パラメータに基づいてプレスキャンパラメータを決定し、決定したプレスキャンパラメータに基づいてプレスキャンを実行するスキャナコントローラ手段と、プレスキャンスにおいて読み取られたプレビュー画像を表示する表示部とを有し、スキャナコントローラ手段は、プレビュー画像に対する編集処理に基づいて本スキャンパラメータを決定し、決定した本スキャンパラメータに基づいて本スキャンを実行する構成であることを特徴とする。